(57)【特許請求の範囲】
【請求項１】
容器の口部にねじ止め固定されるベースキャップと、該ベースキャップにより該口部を通して吊り下げ固定され、該容器内部の内容物を汲み上げるポンプと、該ポンプのステムに連結し、該ステムの押し込みと復帰動作の繰り返しにより該ポンプのピストンを駆動させて容器内の内容物を吸引、加圧、圧送して該内容物を外界へ排出するノズルヘッドとを備えるポンプ式注出器であって、
前記ベースキャップに、該ベースキャップと分離可能に一体に連結するとともに、前記ノズルヘッドと着脱可能に係合して該ノズルヘッドを保持するアダプターを設け、
前記アダプターに、前記ステムの外壁を間隔をおいて取り囲み、前記ノズルヘッドの押し込み可能状態における姿勢にて、その下端を前記ピストンの上部に当接させて内容物の侵入を阻止するとともに該ピストンの上方ストッパーとなる周壁を形成し、
前記ステムの外壁と前記周壁との相互間に、前記ステムを前記ノズルヘッドとともに上方へ向けて付勢する弾性部材を配置し、
前記ベースキャップとアダプターとの境界に、該ベースキャップと該アダプターとを相互に一体に連結するが、それらの相対的な回動にて引きちぎりを可能とする薄肉部を設けたことを特徴とするポンプ式注出器。
【請求項２】
容器の口部にねじ止め固定されるベースキャップと、該ベースキャップにより該口部を通して吊り下げ固定され、該容器内部の内容物を汲み上げるポンプと、該ポンプのステムに連結し、該ステムの押し込みと復帰動作の繰り返しにより該ポンプのピストンを駆動させて容器内の内容物を吸引、加圧、圧送して該内容物を外界へ排出するノズルヘッドとを備えるポンプ式注出器であって、
前記ベースキャップに、該ベースキャップと分離可能に一体に連結するとともに、前記ノズルヘッドと着脱可能に係合して該ノズルヘッドを保持するアダプターを設け、
前記アダプターに、前記ステムの外壁を間隔をおいて取り囲み、前記ノズルヘッドの押し込み可能状態における姿勢にて、その下端を前記ピストンの上部に当接させて内容物の侵入を阻止するとともに該ピストンの上方ストッパーとなる周壁を形成し、
前記ステムの外壁と前記周壁との相互間に、前記ステムを前記ノズルヘッドとともに上方へ向けて付勢する弾性部材を配置し、
前記周壁は、前記ステムの外壁との相互間にて環状空間を形成する周壁本体と、この周壁本体の直下に段差を形成して一体連結し前記弾性部材の座部を形成する小径筒体からなる、ポンプ式注出器。
【発明の詳細な説明】
【技術分野】
【０００１】
本発明は、容器の口部にねじ止め固定され、ノズルヘッドの押し込みと復元によりポンプを駆動させて容器内の内容物を吐出させることが可能な、ポンプ式注出器に関するものであり、該ポンプの構成に必要な部品点数を削減しつつ、更にはノズルヘッドを上方付勢する弾性部材と内容物との接触も抑制しようとするものである。
【背景技術】
【０００２】
容器の口部にベースキャップによって吊り下げ保持されるポンプと、このポンプを駆動させるとともにその吐出口から内容物を吐出させるノズルヘッドとを備えたポンプ式の注出器は、一般に、ノズルヘッドの直下にねじ部を設け、このねじ部に適合するアダプターを、ベースキャップの上部に配置している（例えば特許文献１参照）。これにより、ノズルヘッドを押し下げてアダプターと係合させることができるので、市場流通時等では、ノズルヘッドを押し下げた未使用状態の姿勢にすることが可能となる。この場合、輸送時においては容器をコンパクトに箱詰めするために、また店頭においては商品を見映え良く、かつ省スペースで陳列するために、容器に対するノズルの向きは何れもある定まった向きであることが必要であり、このために、アダプターはベースキャップに対して回動可能な構成となっている。そして容器の口部に注出器を取り付ける際には、アダプターにねじ止め固定されたノズルヘッドを容器に対して所期する向きにして保持しておき、この状態のままベースキャップだけを口部に対してねじ込むことで、ノズルを定まった向きにして固定保持するようにしている。
【先行技術文献】
【特許文献】
【０００３】
【特許文献１】特開平９−３８５３９号公報
【発明の概要】
【発明が解決しようとする課題】
【０００４】
ところで、近年の厳しい価格競争によって、上記のようなポンプ式注出器においてもコストの削減が求められているところ、必要な機能を維持したままその構成に必要な部品を削減することは困難であり、未だ改善の余地が残されていた。一方、ノズルヘッドを上方付勢する弾性部材は、特許文献１に示されるように内容物との接触が不可避なポンプのシリンダー内に配置されているのが一般的であり、それ故、弾性部材は内容物と接触しても腐食等が発生し難い材料が選択されているものの、できるだけ内容物との接触を避けることが品質的にもより好ましく、この点でも更なる工夫が求められていた。
【０００５】
本発明の課題は、容器の口部に取り付けられるポンプ式注出器に関し、該抽出器の構成に必要な部品点数を削減しつつ、更にはノズルヘッドを上方付勢する弾性部材と内容物との接触も抑制できる、ポンプ式注出器を提案するところにある。
【課題を解決するための手段】
【０００６】
本発明は、容器の口部にねじ止め固定されるベースキャップと、該ベースキャップにより該口部を通して吊り下げ固定され、該容器内部の内容物を汲み上げるポンプと、該ポンプのステムに連結し、該ステムの押し込みと復帰動作の繰り返しにより該ポンプのピストンを駆動させて容器内の内容物を吸引、加圧、圧送して該内容物を外界へ排出するノズルヘッドとを備えるポンプ式注出器であって、
前記ベースキャップに、該ベースキャップと分離可能に一体に連結するとともに、前記ノズルヘッドと着脱可能に係合して該ノズルヘッドを保持するアダプターを設け、
前記アダプターに、前記ステムの外壁を間隔をおいて取り囲み、前記ノズルヘッドの押し込み可能状態における姿勢にて、その下端を前記ピストンの上部に当接させて内容物の侵入を阻止するとともに該ピストンの上方ストッパーとなる周壁を形成し、
前記ステムの外壁と前記周壁との相互間に、前記ステムを前記ノズルヘッドとともに上方へ向けて付勢する弾性部材を配置し、
前記ベースキャップとアダプターとの境界に、該ベースキャップと該アダプターとを相互に一体に連結するが、それらの相対的な回動にて引きちぎりを可能とする薄肉部を設けたことを特徴とするポンプ式注出器である。
【０００８】
また本発明は、容器の口部にねじ止め固定されるベースキャップと、該ベースキャップにより該口部を通して吊り下げ固定され、該容器内部の内容物を汲み上げるポンプと、該ポンプのステムに連結し、該ステムの押し込みと復帰動作の繰り返しにより該ポンプのピストンを駆動させて容器内の内容物を吸引、加圧、圧送して該内容物を外界へ排出するノズルヘッドとを備えるポンプ式注出器であって、
前記ベースキャップに、該ベースキャップと分離可能に一体に連結するとともに、前記ノズルヘッドと着脱可能に係合して該ノズルヘッドを保持するアダプターを設け、
前記アダプターに、前記ステムの外壁を間隔をおいて取り囲み、前記ノズルヘッドの押し込み可能状態における姿勢にて、その下端を前記ピストンの上部に当接させて内容物の侵入を阻止するとともに該ピストンの上方ストッパーとなる周壁を形成し、
前記ステムの外壁と前記周壁との相互間に、前記ステムを前記ノズルヘッドとともに上方へ向けて付勢する弾性部材を配置し、
前記周壁は、前記ステムの外壁との相互間にて環状空間を形成する周壁本体と、この周壁本体の直下に段差を形成して一体連結し前記弾性部材の座部を形成する小径筒体からなるポンプ式注出器である。
【発明の効果】
【０００９】
ノズルヘッドと係合するアダプターを、ベースキャップと分離可能に一体に連結させたので、部品点数を減らすことが可能となり、その分、部品の製造に必要な金型も削減することができる。一方、このポンプ式注出器を容器の口部に取り付ける際には、アダプターとベースキャップとの相対的な回動にてそれらの分離が可能であるため、注出器に求められる機能を損なうことなく、ノズルを所期する向きにしたまま容器に固定することができる。またこのアダプターに、ポンプのステムの外壁に対して間隔をおいて取り囲むとともに、ノズルヘッドを押し込み可能状態にした姿勢で、ピストンの上方ストッパーとなる周壁を設け、ステムの外壁とアダプターの周壁との相互間にノズルヘッドを上方付勢する弾性部材を配置したので、新たなカバーを追加することなく内容物と弾性部材との接触を避けることができる。
【００１０】
ベースキャップとアダプターとの境界に、これらの相対的な回動にて引きちぎりを可能とする薄肉部を設ける場合には、２つの部材の分離作業を簡単に行うことができる。
【００１１】
アダプターに設けた周壁を、ステムの外壁との相互間にて環状空間を形成する周壁本体と、この周壁本体の直下に段差を形成して一体連結して弾性部材の座部を形成する小径筒体とで構成する場合には、内容物が環状空間に流入しにくくなるのでより確実に内容物と弾性部材との接触を避けることができる。また、弾性部材を受ける座部を形成するための部材を別途に設ける必要もなく、構造の簡素化が可能となる。
【図面の簡単な説明】
【００１２】
【図１】本発明に従うポンプ式注出器の実施の形態につき、ノズルヘッドが通常使用時の最上端まで上昇した、押し込み可能状態の姿勢を示す図であって、ポンプの軸線より右側半分を断面で示した側面図である。
【図２】図１に示すポンプ式注出器において、ノズルヘッドをアダプターに係合させた未使用状態における姿勢を示す図である。
【図３】図１に示すポンプ式注出器において、ノズルヘッドを通常使用時の最下端まで押し込んだ状態の姿勢を示す図である。
【発明を実施するための形態】
【００１３】
以下、図面を参照して、本発明をより具体的に説明する。
図１は、本発明に従うポンプ式注出器の実施の形態につき、ノズルヘッドが通常使用時の最上端まで上昇した、押し込み可能状態の姿勢を示す図であって、ポンプの軸線より右側半分を断面で示した側面図であり、図２は、図１に示すポンプ式注出器において、ノズルヘッドをアダプターに係合させた未使用状態における姿勢を示す図であり、図３は、図１に示すポンプ式注出器において、ノズルヘッドを通常使用時の最下端まで押し込んだ状態の姿勢を示す図である。
【００１４】
図１において、１は本発明に従うポンプ式注出器を、図示しない容器の口部に固定するベースキャップである。ベースキャップ１は、中央部に開口１ａ１を備える天板１ａと、天板１ａの外周より垂下され、容器の口部を覆う筒体１ｂと、筒体１ｂの内側に形成され、容器の口部にねじ止めされるねじ部１ｃを有している。
【００１５】
２は、後述するノズルヘッドを着脱可能に係合させて、このノズルヘッドの未使用状態における姿勢を保持するアダプターである。アダプター２は、小径の筒体２ａの底部に大径のフランジ２ｂを設けたものであり、筒体２ａの上方の内壁面には、ノズルヘッドを着脱可能に係合するねじ部ｎ１が設けられており、フランジ２ｂの裏面には、後述するポンプと回動自在に結合する爪部２ｃが形成されている。またアダプター２は、フランジ２ｂの縁部と開口１ａ１の縁部とを相互につないで、ベースキャップ１と一体連結している。そして両縁部を、薄肉部を介して相互に連結する場合には、この薄肉部（破断予定線ｌ）に沿ってベースキャップ１とアダプター２とを引きちぎりによって分離させることができる。ここで薄肉部は、図示のように薄肉片を周方向に間隔をおいて設ける（薄肉片の相互間には隙間が形成される）場合に限られず、薄肉片を縁部全周に渡ってつなげるものであってもよい。
【００１６】
３は、容器内部の内容物を汲み上げるポンプである。ポンプ３は、外周壁となる筒形状のシリンダー３ａを有しており、このシリンダー３ａの上部には、フランジ３ａ１が一体連結されている。フランジ３ａ１は、容器の口部と天板１ａとで挟持されるものであり、これによりポンプ３は、容器の口部を通して吊り下げ固定することができる。フランジ３ａ１のさらに上部には、爪部２ｃと係合する爪部３ａ２が形成されており、この爪部３ａ２は、ポンプの軸線Ｍを中心として間隔をおいて複数配置したもの、或いは軸線Ｍを中心とする環状のものとすることができる。これによりアダプター２は、軸線Ｍを中心として回動可能に保持され、かつ上方へ抜け止めされている。またシリンダー３ａの外周壁の上部には、後述するピストンが上下動（押し下げ、復帰動作）する際に容器内が負圧になるのを防止する外気導入孔３ａ３が形成されている。
【００１７】
そしてポンプ３は、シリンダー３ａの吸引口と連結し容器内の内容物をシリンダー３ａに導入する吸引管３ｂと、内容物の吸引時にのみ吸引口を開放する逆止弁３ｃと、シリンダー３ａの内側壁と当接してスライドすることで内容物の吸引、加圧、圧送を行う環状のピストン３ｄと、ピストン３ｄで吸引、加圧、圧送された内容物をその内側を通して送り出すバルブプランジャー３ｅと、バルブプランジャー３ｅを取り囲んで起立するとともにバルブプランジャー３ｅからの内容物を後述するノズルヘッドに送給するステム３ｆと、ステム３ｆの外壁の半径方向外側に配置される弾性部材Ｓとを有している。
【００１８】
バルブプランジャー３ｅは、ピストン３ｄの中央部の孔を挿通する有底筒体３ｅ１と、ピストン３ｄよりも下方においてこの有底筒体３ｅ１の側壁と一体に結合するとともに、半径方向外側へ、段部３ｅ２を伴って半径方向外側へ延びる壁部３ｅ３と、壁部３ｅ３の縁部からシリンダー３ａの内側壁まで延在するとともに周方向に間隔をおいて設けられる縦リブ３ｅ４と、有底筒体３ｅ１の側壁に設けられ、縦リブ３ｅ４の相互間の隙間から流入するシリンダー３ａ内の内容物をバルブプランジャー３ｅの内側に導入する流入孔３ｅ５とを備えている。
【００１９】
ステム３ｆは筒状であり、その内壁に設けた係合部３ｆ１をバルブプランジャー３ｅの外壁に設けた係合部３ｅ６と連係させている。またステム３ｆの下方は、内壁を拡径させて有底筒体３ｅ１の外壁との相互間に環状空間を形成する下部筒体３ｆ２を備えている。
【００２０】
ここでアダプター２は、筒体２ａの下端より下方に向けて延伸する周壁２ｄを備えていて、周壁２ｄは、筒体２ａの内径よりもやや小径となる周壁本体２ｄ１と、周壁本体２ｄ１の直下において段差を形成して一体連結する小径筒体２ｄ２を有している。そして弾性部材Ｓは、筒体２ａ及び周壁本体２ｄ１と、ステム３ｆとの相互間に形成される環状空間に配置されており、弾性部材Ｓの上端はステム３ｆの外壁の上部に形成された段部３ｆ３と当接し、弾性部材Ｓの下端は小径筒体２ｄ２に設けられた座部２ｄ３と当接していて、ステム３ｆに常時上方への付勢力を与えている。
【００２１】
ピストン３ｄは、上部においてそれぞれ環状となる上部内側壁３ｄ１と上部外側壁３ｄ２を有しており、下部においてそれぞれ環状となる下部内側壁３ｄ３と下部外側壁３ｄ４を有している。ここで上部内側壁３ｄ１は、ステム３ｆが移動している最中もステム３ｆの下部筒体３ｆ２と当接しているので、内容物の弾性部材Ｓへの流れ込みを抑制することが可能であり、下部内側壁３ｄ３は、バルブプランジャー３ｅの段部３ｅ２と当接して、バルブプランジャー３ｅ内の内容物が、シリンダー３ａ内に戻ることを防止することができる。また上部外側壁３ｄ２と下部外側壁３ｄ４は、シリンダー３ａの内側壁と常時当接して、内容物が、上部外側壁３ｄ２及び下部外側壁３ｄ４とシリンダー３ａとの相互間に流入することを防いでいる。そしてステム３ｆを押し込んでいくと、ステム３ｆの下端３ｆ４がピストン３ｄの上部内側壁３ｄ１の根元と当接して、ピストン３ｄを押し下げることができる。さらにアダプター２の下端２ｄ４は、図１に示すようにステム３ｆが一番上昇した状態において、ピストン３ｄの上部外側壁３ｄ２の根元と当接して、弾性部材Ｓを配置した環状空間に内容物が流れ込まないようにするシール機能を備えるとともに、ピストン３ｄの上方ストッパーとしても機能する。なお図１に要部を拡大して示すように、下端２ｄ４と上部外側壁３ｄ２の根元との当接は、周壁本体２ｄ１の段部と上部外側壁３ｄ２とが当接するようにしてもよいし、両方が当接するようにしてもよい。
【００２２】
４は、ポンプ３を駆動させるとともに、ステム３ｆからの内容物を内部空間に導入し、外界に向けて噴出させるノズルヘッドである。ノズルヘッド４は、押圧力を直接付与する操作部４ａと、操作部４ａと一体連結するとともにステム３ｆと嵌合する筒体４ｂと、筒体４ｂと一体連結しステム３ｆから送給される内容物を外部に向けて吐出する吐出口４ｃ１を形成したノズル４ｃとを備えている。また筒体４ｂの外壁には、アダプター２のねじ部ｎ１に適合するねじ部ｎ２が設けられている。
【００２３】
５は、容器に取り付けた際に容器の口部とポンプ３のフランジ３ａ１とで挟持され、内容物の漏れ出しを防止するパッキンである。パッキン５の内径は、シリンダー３ａの外周壁の外径よりも僅かに小さくなっているので、容器に取り付ける前であってもパッキン５が脱落することがない。
【００２４】
上記のように構成されるポンプ式注出器は、容器の口部に取り付けられる前において、図２に示すように、アダプター２のねじ部ｎ１にノズルヘッド４のねじ部ｎ２をねじ込んだ未使用状態の姿勢にする。ここで、ベースキャップ１とアダプター２とを相対的に回動させると破断予定線Ｌに沿って引きちぎりが起こり、ベースキャップ１とアダプター２とを分離させることができる。そして図示しない容器の口部に取り付けるには、ノズルヘッド４を容器に対して所期する向きに保持しておき、この状態のままベースキャップ１だけを容器に対してねじ込むことで、ノズル４ｃを所期する向きにしたまま、容器に固定保持させることができるなお、アダプター２が連結したままベースキャップ１を容器の口部にねじ込んでいき、このねじ込みの最中で引きちぎりを行ってもよい。
【００２５】
図示しない容器に取り付けられたポンプ式注出器から内容物を吐出するに当たっては、図１に示す押し込み可能状態の姿勢から、ノズルヘッド４を下方に押し下げる。ノズルヘッド４を押し下げていくと、図３に示すように、ステム３ｆの下端３ｆ４がピストン３ｄの上部内側壁３ｄ１の根元と当接して、ピストン３ｄを押し下げることができる。ここで、ピストン３ｄの下部内側壁３ｄ３は、バルブプランジャー３ｅの段部３ｅ２から離れることになるので、シリンダー３ａ内の内容物を、バルブプランジャー３ｅの縦リブ３ｅ４間の隙間を経由して流入孔３ｅ５に流入させて、吐出口４ｃ１から排出することができる。この時、ピストン３ｄの上部内側壁３ｄ１は、ステム３ｆの下部筒体３ｆ２と当接しているので、内容物がピストン３ｄを超えて弾性部材Ｓに向けて流れ込むことが防止される。
【００２６】
一方、図３に示すノズルヘッド４を押し込んだ状態の姿勢から、ノズルヘッド４を上方へ復帰させる場合でも、ピストン３ｄの上部内側壁３ｄ１は、ステム３ｆの下部筒体３ｆ２と当接したままなので、内容物のピストン３ｄを超える流れ込みを有効に防止することができる。また仮にピストン３ｄを超えてシリンダー３ａとステム３ｆの相互間に内容物が流れ込むことがあっても、弾性部材Ｓは、アダプター２の筒体２ａ及び周壁本体２ｄ１と、ステム３ｆで取り囲まれている上、小径筒体２ｄ２とステム３ｆとの相互間には極わずかな隙間が形成されているのにすぎないので内容物が侵入しにくくなり、より確実に内容物と弾性部材Ｓとの接触を防ぐことができる。また、図１に示す状態で容器が横倒しになり、外気導入孔３ａ３から内容物がシリンダー３ａ内に流れ込むことがあっても、周壁２ｄとピストン３ｄとの相互間はシールされているので、弾性部材Ｓに向けた内容物の侵入を有効に阻止することができる。
【産業上の利用可能性】
【００２７】
本発明によれば、容器の口部に取り付けられるポンプ式注出器に関し、構成に必要な部品点数を削減しつつ、更にはノズルヘッドを上方付勢する弾性部材と内容物との接触も抑制できる新たなポンプ式注出器を提供できる。
【符号の説明】
【００２８】
１    ベースキャップ
２    アダプター
２ａ  筒体
２ｂ  フランジ
２ｃ  爪部
２ｄ  周壁
３    ポンプ
３ａ  シリンダー
３ｂ  吸引管
３ｃ  逆止弁
３ｄ  ピストン
３ｅ  バルブプランジャー
３ｆ  ステム
４    ノズルヘッド
４ａ  操作部
４ｂ  筒体
４ｃ  ノズル
５    パッキン
ｌ    破断予定線
Ｓ    弾性部材
【図１】
0005650495.tif 000002
【図２】
0005650495.tif 000003
【図３】
0005650495.tif 000004